(57)【特許請求の範囲】
【請求項１】
室内空間の空調を行う空調装置であって、
電力使用量が抑制されるデマンド制御運転が開始される前に、前記室内空間の躯体に蓄熱する蓄熱運転、又は該室内空間を除湿する除湿運転、の少なくとも１つを行う制御手段と、
前記室内空間の温度分布を計測する温度分布計測手段と、を備え、
前記制御手段は、前記温度分布計測手段が計測した前記室内空間の温度分布に基づいて床面に人がいるか否かを判別し、人がいないと判別した場合、該床面に向けて前記蓄熱運転を行う、
ことを特徴とする空調装置。
【請求項２】
室内空間の空調を行う空調装置であって、
電力使用量が抑制されるデマンド制御運転が開始される前に、前記室内空間の躯体に蓄熱する蓄熱運転、又は該室内空間を除湿する除湿運転、の少なくとも１つを行う制御手段と、
前記室内空間の温度分布を計測する温度分布計測手段と、を備え、
前記制御手段は、前記温度分布計測手段が計測した前記室内空間の温度分布から、蓄熱に適した壁面がなく、床面に人がいると判別した場合、天井に向けて前記蓄熱運転を行う、
ことを特徴とする空調装置。
【請求項３】
前記制御手段は、前記温度分布計測手段が計測した前記室内空間の温度分布に基づいて蓄熱に適した壁面が有るか否かを判別し、蓄熱に適した壁面があると判別した場合、該壁面に向けて前記蓄熱運転を行う、
ことを特徴とする請求項１又は２に記載の空調装置。
【請求項４】
所定時間経過後、前記蓄熱運転又は前記除湿運転を停止する運転停止手段をさらに備える、
ことを特徴とする請求項１乃至３の何れか１項に記載の空調装置。
【請求項５】
室内空間の空調を行う空調方法であって、
電力使用量が抑制されるデマンド制御運転が開始される前に、前記室内空間の躯体に蓄熱する蓄熱運転、又は該室内空間を除湿する除湿運転、の少なくとも１つを行う工程を備え、
前記工程では、前記室内空間の温度分布を計測し、計測した前記室内空間の温度分布に基づいて床面に人がいるか否かを判別し、人がいないと判別した場合、該床面に向けて前記蓄熱運転を行う、
ことを特徴とする空調方法。
【請求項６】
室内空間の空調を行う空調方法であって、
電力使用量が抑制されるデマンド制御運転が開始される前に、前記室内空間の躯体に蓄熱する蓄熱運転、又は該室内空間を除湿する除湿運転、の少なくとも１つを行う工程を備え、
前記工程では、前記室内空間の温度分布を計測し、計測した前記室内空間の温度分布から、蓄熱に適した壁面がなく、床面に人がいると判別した場合、天井に向けて前記蓄熱運転を行う、
ことを特徴とする空調方法。
【請求項７】
室内空間の空調を行うコンピュータを、
電力使用量が抑制されるデマンド制御運転が開始される前に、前記室内空間の躯体に蓄熱する蓄熱運転、又は該室内空間を除湿する除湿運転、の少なくとも１つを行う制御手段、
前記室内空間の温度分布を計測する温度分布計測手段、として機能させ、
前記制御手段は、前記温度分布計測手段が計測した前記室内空間の温度分布に基づいて床面に人がいるか否かを判別し、人がいないと判別した場合、該床面に向けて前記蓄熱運転を行う、
ことを特徴とするプログラム。
【請求項８】
室内空間の空調を行うコンピュータを、
電力使用量が抑制されるデマンド制御運転が開始される前に、前記室内空間の躯体に蓄熱する蓄熱運転、又は該室内空間を除湿する除湿運転、の少なくとも１つを行う制御手段、
前記室内空間の温度分布を計測する温度分布計測手段、として機能させ、
前記制御手段は、前記温度分布計測手段が計測した前記室内空間の温度分布から、蓄熱に適した壁面がなく、床面に人がいると判別した場合、天井に向けて前記蓄熱運転を行う、
ことを特徴とするプログラム。
【発明の詳細な説明】
【技術分野】
【０００１】
本発明は、空調装置、空調方法及びプログラムに関し、更に詳しくは、室内の空調を行う空調装置、室内の空調を行うための空調方法及びプログラムに関する。
【背景技術】
【０００２】
地球温暖化や、世界規模で進行する経済産業の発展にともない、空調機等の設備で消費される電力を低減することが求められている。特許文献１には、空調機の消費電力を低減させるために、コントローラを用いたデマンド制御運転を行うことが記載されている。このデマンド制御運転が実行されると、空調機での需要電力（デマンド）が増加した際に、圧縮機の最大運転周波数等に制限が課される。これにより、需要電力は、基準値を超えることなく推移することが可能となる。
【先行技術文献】
【特許文献】
【０００３】
【特許文献１】特開平１−１１４６５４号公報
【発明の概要】
【発明が解決しようとする課題】
【０００４】
デマンド制御運転をした場合、空調機の運転に制限が課される。従って、例えば、十分な冷暖能力を確保できずに、空調エリア内の温度を快適に保てなくなる虞がある。また、このように空調エリア内温度を維持できなくなった場合、冷媒蒸発温度が高くなるため、図１０に示すように、空調エリアの除湿可能量も少なくなり、快適な湿度を維持できなくなる虞がある。
【０００５】
本発明は上記実情に鑑みてなされたものであり、デマンド制御運転をした場合でも、空調エリア内の快適性を維持することを可能にした空調装置、空調方法及びプログラムを提供することを目的とする。
【課題を解決するための手段】
【０００６】
上記目的を達成するため、本発明の空調装置は、
室内空間の空調を行う空調装置であって、
電力使用量が抑制されるデマンド制御運転が開始される前に、前記室内空間の躯体に蓄熱する蓄熱運転、又は該室内空間を除湿する除湿運転、の少なくとも１つを行う制御手段と、
前記室内空間の温度分布を計測する温度分布計測手段と、を備え、
前記制御手段は、前記温度分布計測手段が計測した前記室内空間の温度分布に基づいて床面に人がいるか否かを判別し、人がいないと判別した場合、該床面に向けて前記蓄熱運転を行う、
ことを特徴とする。
【発明の効果】
【０００７】
本発明によれば、デマンド制御運転が開始される前に、蓄熱運転または除湿運転の何れかが行われる。従って、デマンド制御運転をした場合でも、空調エリア内の快適性を維持することが可能となる。
【図面の簡単な説明】
【０００８】
【図１】本発明の実施形態に係る空調装置が設置されている状態を示した図である。
【図２】本発明の実施形態に係る空調装置の構成を示すブロック図である。
【図３】コントローラの構成を示すブロック図である。
【図４】蓄熱・除湿運転処理を説明するためのフローチャートである。
【図５】壁面に蓄熱する場合の例を示した図である。
【図６】床面に蓄熱する場合の例を示した図である。
【図７】天井に蓄熱する場合の例を示した図である。
【図８】本発明の実施形態に係る空調装置の運転状態の遷移を示した図である。
【図９】複数の温度計測装置を配置して室内空間の温度分布を測定する例を示した図である。
【図１０】室内機の蒸発温度と除湿可能量との関係を示した図である。
【発明を実施するための形態】
【０００９】
以下、本発明の実施形態について、図面を参照しながら詳細に説明する。なお、本発明は下記の実施形態及び図面によって限定されるものではない。また、本発明の要旨を変更しない範囲で下記の実施形態及び図面に変更を加えることが出来る。また、図中同一または相当部分には同一符号を付す。
【００１０】
本発明の実施形態に係る空調装置１は、図１に示すように、建物内の室内空間１００を空調対象とする蒸気圧縮方式の空調装置である。空調装置１は、室外機１０、室内機２０、コントローラ３０、温度分布測定装置４０、及び、デマンド制御装置５０を有している。
【００１１】
室外機１０は、建物のベランダ等の屋外に配置され、外気との間で熱交換を行う。室外機１０は、図２に示すように、熱交換器１１、電動ファン１２、コンプレッサ１３、四方弁１４、膨張弁１５、室外温度センサ１６、及び、室外機制御基板１７を有している。
【００１２】
熱交換器１１は、例えば伝熱管と放熱フィンとを有するクロスフィン方式のフィン・アンド・チューブ型熱交換器である。熱交換器１１は、空調装置１が冷房運転を行っている場合に、凝縮器として機能し、空調装置１が暖房運転を行っている場合に、蒸発器として機能する。
【００１３】
電動ファン１２は、遠心ファン或いは多翼ファンと、このファンを回転させるファンモータを備えている。この電動ファン１２は、外気を熱交換器１１へ供給する。
【００１４】
コンプレッサ１３は、インバータモータを備える容積式圧縮機である。このコンプレッサ１３は、冷媒を圧縮して四方弁１４へ吐出する。
【００１５】
四方弁１４は、熱交換器１１を流れる冷媒の方向を切り替えるための弁である。この四方弁１４は、空調装置１が冷房運転を行っているときに、冷媒を矢印ａに示される方向に循環させる。そして、空調装置１が暖房運転を行っているときに、冷媒を矢印ｂに示される方向へ循環させる。
【００１６】
膨張弁１５は、熱交換器１１を流れる冷媒の流量を調整するための電動膨張弁である。
【００１７】
室外温度センサ１６は、室外機１０の設置されている屋外の温度（外気温度）を逐次測定し、測定結果を室外機制御基板１７と室内機制御基板２５とを介してコントローラ３０に出力する。なお、室外機１０の複数個所に室外温度センサ１６を配置してもよい。
【００１８】
室外機制御基板１７は、室外機１０の各部を制御するための基板であり、ＣＰＵ（Central Processing Unit）等を備える。室外機制御基板１７は、室内機制御基板２５と接続される。室外機制御基板１７は、室内機制御基板２５を介してコントローラ３０から受信した制御情報に基づいて、電動ファン１２、コンプレッサ１３、四方弁１４、及び、膨張弁１５等の動作を制御する。なお、室外機制御基板１７は、直接コントローラ３０と接続されてもよい。
【００１９】
室内機２０は、室内空間１００の壁面に設置され、室内空間１００の空気と熱交換を行う。室内機２０は、熱交換器２１、電動ファン２２、室内温度センサ２３、湿度センサ２４、及び室内機制御基板２５を有している。
【００２０】
熱交換器２１は、上述した室外機１０の熱交換器１１と同等の構成を有している。この熱交換器２１には、電動ファン２２によって、室内空間１００の空気が供給される。これにより、室内空間１００の空気は、室内空間１００と熱交換器２１との間を循環し、室内空間１００の空気と熱交換器１１と間で熱交換が行われる。熱交換器２１は、空調装置１が冷房運転を行っている場合に、蒸発器として機能し、空調装置１が暖房運転を行っている場合に、凝縮器として機能する。
【００２１】
室外機１０を構成する熱交換器１１と室内機２０を構成する熱交換器２１は、配管６０によって接続されている。この配管６０を介して冷媒が、室外機１０と室内機２０との間を循環する。
【００２２】
室内温度センサ２３は、室内機２０の電動ファン２２の近傍に配置され、電動ファン２２が送風する空気の温度を逐次測定し、測定結果を室内機制御基板２５を介してコントローラ３０に出力する。なお、室内温度センサ２３を複数備えてもよい。
【００２３】
湿度センサ２４は、室内機２０の電動ファン２２の近傍に配置され、電動ファン２２が送風する空気の湿度を逐次測定し、測定結果を室内機制御基板２５を介してコントローラ３０に出力する。
【００２４】
室内機制御基板２５は、室内機２０の各部を制御するための基板であり、ＣＰＵ等を備える。室内機制御基板２５は、コントローラ３０と接続され、コントローラ３０からの指示に基づいて、電動ファン２２等の動作を制御する。
【００２５】
コントローラ３０は、室外機１０及び室内機２０の運転を制御する。コントローラ３０は、室内機２０、温度分布測定装置４０、及び、デマンド制御装置５０と接続される。
【００２６】
コントローラ３０は、図３に示すように、主記憶部３１、補助記憶部３２、インタフェース３３、ＣＰＵ３４、及び上記各部を相互に接続するバス３５を備える。
【００２７】
主記憶部３１は、ＤＲＡＭ（Dynamic Random Access Memory）或いはＳＲＡＭ（Static Random Access Memory）等の揮発性メモリを有している。この主記憶部３１は、ＣＰＵ３４の作業領域として用いられる。
【００２８】
補助記憶部３２は、磁気ディスク、フラッシュメモリ等の不揮発性メモリを有している。この補助記憶部３２には、ＣＰＵ３４によって実行されるプログラム及び各種パラメータや閾値に関する情報が記憶されている。また、補助記憶部３２には、室内空間１００の内部構成を定義する情報も記憶されている。この情報を参照することにより、ＣＰＵ３４は、室内空間１００の壁面方向、床面方向、及び、天井方向等を把握することができる。
【００２９】
インタフェース３３は、例えばシリアルインタフェースまたはＬＡＮ（Local Area Network）インタフェース等を含んで構成されている。コントローラ３０は、インタフェース３３を介して、室内機２０の室内機制御基板２５、温度分布測定装置４０、及びデマンド制御装置５０と接続される。
【００３０】
ＣＰＵ３４は、インタフェース３３を介して、制御信号を室内機制御基板２５に送信することで、室内機２０の運転を制御する。また、ＣＰＵ３４は、インタフェース３３と室内機２０の室内機制御基板２５とを介して、制御信号を室外機制御基板１７に送信することで、室外機１０の運転を制御する。また、ＣＰＵ３４は、デマンド制御装置５０からのデマンド信号の受信に応答して、消費電力を抑えて室外機１０及び室外機２０の運転を制御するデマンド制御運転を実行する。さらに、ＣＰＵ３４は、デマンド制御運転が開始される前に、室内空間１００の躯体に蓄熱する蓄熱運転と除湿運転とを行う蓄熱・除湿運転処理を行う。蓄熱・除湿運転処理の詳細については後述する。
【００３１】
図１に戻り、温度分布測定装置４０は、赤外線センサ等を備え、室内空間１００の温度分布（熱分布）を測定し、測定結果をコントローラ３０に出力する。
【００３２】
デマンド制御装置５０は、例えば室内空間１００が属する建物で消費される消費電力を監視する。そして、消費電力が契約電力超える兆候があると判断した場合に、コントローラ３０へデマンド信号を出力する。デマンド信号の受信を受けて、コントローラ３０のＣＰＵ３４は、室外機１０及び室内機２０を消費電力を抑えて運転させるように制御（デマンド制御運転）する。
【００３３】
続いて、室内空間１００を冷房する場合を例に、空調装置１によって実行される蓄熱・除湿運転処理について、図４に示すフローチャートを参照して説明する。
【００３４】
コントローラ３０のＣＰＵ３４は、早朝等の所定時刻に、前日の運転実績や温度の変化などを参照して、デマンド制御運転が開始される時刻を予想する。例えば、前日と同じ時刻にデマンド制御運転が開始されると予想してもよい。また、インターネットを介して、外部の天気予報システムから１日の温度変化を示す予想情報を取得し、温度が所定値（例えば３０℃）に達する時刻をデマンド制御運転が開始される時刻と予想してもよい。また、予め、ユーザがデマンド制御運転を開始する時刻を設定しておいてもよい。
そして、デマンド制御運転が開始されると予想した時刻から所定時間前（例えば、１時間前）の時刻に現在時刻が達した場合、ＣＰＵ３４は、図４に示す蓄熱・除湿運転処理を開始する。
【００３５】
まず、ＣＰＵ３４は、室内空間１００に、蓄熱に適した壁面があるか否かを判別する（ステップＳ１０１）。例えば、ＣＰＵ３４は、温度分布測定装置４０から、室内空間１００の温度分布を示す情報を取得する。そして、ＣＰＵ３４は、取得した情報が示す温度分布のうち、壁面方向領域に、外気温とほぼ等しい温度を有する熱分布が有るか否かを判別する。外気温と等しい熱分布が有ると判別した場合、ＣＰＵ３４は、壁面に窓等が有り、当該壁面は蓄熱に適さないものと判別する。また、外気温とほぼ等しい熱分布が検出されなかった場合、ＣＰＵ３４は、蓄熱に適した壁面があるものと判別する。なお、室内空間１００の温度分布から、壁面近傍に人がいるか否かを判別して、人がいる場合に、当該壁面は蓄熱に不適であると判別してもよい。
【００３６】
蓄熱に適した壁面があると判別した場合（ステップＳ１０１；Ｙｅｓ）、ＣＰＵ３４は、室内機２０を制御して、当該壁面に冷気を蓄熱する蓄熱運転を開始する（ステップＳ１０１）。具体的には、ＣＰＵ３４は、室内機２０の送風方向を壁面方向（例えば、水平方向）に制御するとともに、通常運転時よりも大きな風量で運転させる。なお、この際、ＣＰＵ３４は、冷房設定温度を所定値（例えば２度）下げて運転するように制御してもよい。これらの処理により、壁に冷気が蓄熱される。
【００３７】
例えば、図５に示すように、室内空間１００の壁面に窓が無く、壁面温度Ｔｗと外気温度ＴＯとが一致しない場合、当該壁面は蓄熱に最適と判断される（ステップＳ１０１；Ｙｅｓ）。従って、室内機２０の送風方向は点線矢印の示すＡ方向に制御され、壁面に対して蓄熱がなされる（ステップＳ１０１）。
【００３８】
図４に戻り、続いて、ＣＰＵ３４は、温度分布測定装置４０から送信される室内空間１００の温度分布から壁面温度Ｔｗを求め、壁面温度Ｔｗが閾値温度Ｔｍｗ以下となったか否かを判別する（ステップＳ１０１）。なお、閾値温度Ｔｍｗは、例えば、現在設定されている設定温度から所定温度だけ減算した値としてもよいし、ユーザが設定した固定値としてもよい。壁面温度Ｔｗが閾値温度Ｔｍｗ以下となった場合（ステップＳ１０１；Ｙｅｓ）、壁面に冷気が十分蓄熱されたこととなり、処理はステップＳ１０７に移る。
【００３９】
蓄熱に適した壁面が無いと判別した場合（ステップＳ１０１；Ｎｏ）、ＣＰＵ３４は、室内空間１００の床面に、人がいるか否かを判別する（ステップＳ１０２）。例えば、ＣＰＵ３４は、温度分布測定装置４０から現在の室内空間１００内の温度分布を示す情報を取得する。そして、ＣＰＵ３４は、取得した情報が示す温度分布のうち、床面方向領域に、人の体温に相当する温度分布が有るか否かを判別することで、人の有無を判別する。
【００４０】
床面に人がいないと判別した場合（ステップＳ１０２；Ｎｏ）、ＣＰＵ３４は、室内機２０を制御して、当該床面に冷気を蓄熱する蓄熱運転を開始する（ステップＳ１０３）。具体的には、ＣＰＵ３４は、室内機２０の送風方向を床面方向（例えば、斜め下方向）に制御するとともに、通常運転時よりも大きな風量で運転させる。なお、この際、ＣＰＵ３４は、冷房設定温度を所定値（例えば２度）下げて運転するように制御してもよい。この処理により、床に冷気が蓄熱される。
【００４１】
例えば、図６に示すように、室内空間１００の壁面に窓が有り、壁面温度Ｔｗと外気温度ＴＯとがほぼ一致するような部分が有る場合、窓から冷気が逃げるため、当該壁面は蓄熱に不適と判断される（ステップＳ１０１；Ｎｏ）。また、床面に人がいないため（ステップＳ１０２；Ｎｏ）、室内機２０の送風方向は点線矢印の示すＢ方向に制御され、床面に対して蓄熱がなされる（ステップＳ１０３）。
【００４２】
図４に戻り、続いて、ＣＰＵ３４は、温度分布測定装置４０から送信される室内空間１００の温度分布から床面温度Ｔｆを求め、床面温度Ｔｆが閾値温度Ｔｍｆ以下となったか否かを判別する（ステップＳ１０４）。なお、閾値温度Ｔｍｆは、例えば、現在設定されている設定温度から所定温度だけ減算した値としてもよいし、ユーザが設定した固定値としてもよい。床面温度Ｔｆが閾値温度Ｔｍｆ以下となった場合（ステップＳ１０４；Ｙｅｓ）、床面に冷気が十分蓄熱されたこととなり、処理はステップＳ１０７に移る。
【００４３】
床面に人がいると判別した場合（ステップＳ１０２；Ｙｅｓ）、床面に蓄熱運転をした場合、その人に不快感を与えることとなる。従って、ＣＰＵ３４は、室内機２０を制御して、室内空間１００の天井に冷気を蓄熱する蓄熱運転を開始する（ステップＳ１０５）。具体的には、ＣＰＵ３４は、室内機２０の送風方向を天井方向（例えば、斜め上方向）に制御するとともに、通常運転時よりも大きな風量で運転させる。なお、この際、ＣＰＵ３４は、冷房設定温度を所定値（例えば２度）下げて運転するように制御してもよい。この処理により、天井に冷気が蓄熱される。
【００４４】
例えば、図７に示すように、室内空間１００の壁面に窓が有り、壁面温度Ｔｗと外気温度ＴＯとがほぼ一致するような部分が有る場合、当該壁面は蓄熱に不適と判断される（ステップＳ１０１；Ｎｏ）。また、床面に人がいるため（ステップＳ１０２；Ｙｅｓ）、室内機２０の送風方向は点線矢印の示すＣ方向に制御され、天井に対して蓄熱がなされる（ステップＳ１０５）。
【００４５】
図４に戻り、続いて、ＣＰＵ３４は、温度分布測定装置４０から送信される室内空間１００の温度分布から天井温度Ｔｃを求め、天井温度Ｔｃが閾値温度Ｔｍｃ以下となったか否かを判別する（ステップＳ１０６）。なお、閾値温度Ｔｍｃは、例えば、現在設定されている設定温度から所定温度だけ減算した値としてもよいし、ユーザが設定した固定値としてもよい。天井温度Ｔｃが閾値温度Ｔｍｃ以下となった場合（ステップＳ１０６；Ｙｅｓ）、天井に冷気が十分蓄熱されたこととなり、処理はステップＳ１０７に移る。
【００４６】
ステップＳ１０７で、ＣＰＵ３４は、室内機２０を制御して、室内空間１０の躯体（壁、床、及び天井の何れか）に対して行っていた蓄熱運転を停止させる。
【００４７】
続いて、ＣＰＵ３４は、湿度センサ２４から送信される情報から室内空間１００の湿度ＡＨｒを取得し、閾値湿度ＡＨｍ以上であるか否かを判別する（ステップＳ１０１）。
【００４８】
室内空間１００の湿度ＡＨｒが閾値湿度ＡＨｍ以上でないと判別した場合（ステップＳ１０１；Ｎｏ）、室内空間１００は十分除湿されており、処理はステップＳ１０５に移る。
【００４９】
室内空間１００の湿度ＡＨｒが閾値湿度ＡＨｍ以上あると判別した場合（ステップＳ１０１；Ｙｅｓ）、ＣＰＵ３４は、室外機１０及び室内機２０に除湿運転を実行させる（ステップＳ１０２）。そして、室内空間１００の湿度ＡＨｒが閾値湿度ＡＨｍ以下になった場合（ステップＳ１０３；Ｙｅｓ）、ＣＰＵ３４は、室外機１０及び室内機２０を制御して除湿運転を停止させる（ステップＳ１０４）。
【００５０】
続いて、ＣＰＵ３４は、温度分布計測装置４０が計測した室内空間１００の温度分布と、湿度センサ２４が計測した室内空間１００の湿度とを監視して、蓄熱運転で蓄熱した状態、および、除湿運転で除湿した状態を維持するように、室外機１０及び室内機２０を制御する（ステップＳ１０５）。
【００５１】
続いて、ＣＰＵ３４は、デマンド制御装置５０からデマンド信号を受信したか否かを判別する（ステップＳ１０１）。デマンド信号を受信していない場合（ステップＳ１０１；Ｎｏ）、ＣＰＵ３４は、ステップＳ１０５の処理を行い、蓄熱状態と除湿状態とを維持する。デマンド信号を受信した場合（ステップＳ１０１；Ｙｅｓ）、ＣＰＵ３４は、蓄熱・除湿運転を終了する。その後、ＣＰＵ３４は、消費電力を抑えて室外機１０及び室内機２０を運転させるデマンド制御運転を行う。
【００５２】
このように、本発明によれば、図８に示すように、デマンド制御運転が開始される所定時間前の時刻Ｔａに蓄熱・除湿運転処理が実行され、室内空間１００に冷気が蓄熱され、且つ、除湿される。従って、その後時刻Ｔｂにデマンド制御運転が開始され、空調装置１の空調能力に制限が課されたとしても、室内空間１００の温度と湿度とを快適に保つことが可能となる。
【００５３】
さらに、本発明によれば、室内空間１００の温度分布に基づいて、室内空間１００内で蓄熱する場所を判別する。従って、蓄熱するのに最適な場所に蓄熱することが可能となる。
【００５４】
なお、本発明は、上記各実施形態に限定されず、本発明の要旨を逸脱しない範囲での種々の変更は勿論可能である。
【００５５】
例えば、上述した蓄熱・除湿運転処理において、室内空間１００の躯体に蓄熱する処理（ステップＳ１０１〜ステップＳ１０７）、又は、除湿する処理（ステップＳ１０１〜ステップＳ１０４）の何れか一方のみを行うようにしてもよい。
【００５６】
また、図９に示すように、温度分布測定装置４０の代わりに、壁面温度を計測する壁面温度計測装置４０ａ、床面温度を計測する床面温度計測装置４０ｂ、
及び、天井温度を計測する天井温度計測装置４０ｃを備え、これら装置の測定結果から、室内空間１００の温度分布を測定してもよい。このようにすることで、より精度よく温度分布を測定することが可能となる。
【００５７】
また、室内空間１００に、蓄熱に適した壁があることが予め分かっている場合に、蓄熱・除湿運転処理において、温度分布に基づいた蓄熱場所の判別を行わずに、壁面に向けて蓄熱するようにしてもよい。同様に、温度分布に基づいた蓄熱場所の判別を行わずに、床面、又は天井に対してのみ蓄熱運転するようにしてもよい。また、蓄熱・除湿運転処理において、温度分布に基づいた蓄熱場所の判別を行わずに、室内機２０の送風方向をスイングさせて、室内空間１００の躯体全体に蓄熱するようにしてもよい。
【００５８】
また、上述の蓄熱・除湿運転処理は、デマンド制御装置５０からのデマンド信号を受信した際に終了したが（ステップＳ１０１；Ｙｅｓ）、蓄熱・除湿運転処理を終了させるタイミングは任意である。例えば、蓄熱・除湿運転処理を開始してから、所定時間（例えば、１時間）経過しても、デマンド信号を受信していない場合に、蓄熱・除湿運転処理を終了するようにしてもよい。このようにすることで、実際にはデマンド制御運転が開始されなかった場合等による、無駄な蓄熱・除湿を防止することが可能となる。
【００５９】
また、例えば、本発明に係るコントローラ３０の動作を規定する動作プログラムを既存のパーソナルコンピュータや情報端末機器等に適用することで、当該パーソナルコンピュータ等を本発明に係るコントローラ３０として機能させることも可能である。
【００６０】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００６１】
１ 空調装置
１０ 室外機
２０ 室内機
３０ コントローラ
４０ 温度分布測定装置
５０ デマンド制御装置
６０ 配管
１００ 室内空間
【図１】
0005528390.tif 000002
【図２】
0005528390.tif 000003
【図３】
0005528390.tif 000004
【図４】
0005528390.tif 000005
【図５】
0005528390.tif 000006
【図６】
0005528390.tif 000007
【図７】
0005528390.tif 000008
【図８】
0005528390.tif 000009
【図９】
0005528390.tif 000010
【図１０】
0005528390.tif 000011